【手続補正書】
【提出日】平成23年8月2日(2011.8.2)
【手続補正１】
【補正対象書類名】特許請求の範囲
【補正対象項目名】全文
【補正方法】変更
【補正の内容】
【特許請求の範囲】
【請求項１】
物理量センサを内蔵したコントローラの所与の移動態様を指示する指示画像を生成する指示画像生成手段と、
前記コントローラの物理量センサからの信号を取得し、前記コントローラの移動態様を検出し、検出された前記コントローラの移動態様の、前記指示画像で指示された移動態様に対する適合度を判定する検出判定手段と、
してコンピュータを機能させることを特徴とするプログラム。
【請求項２】
請求項１において、
前記物理量センサは、移動方向及び単位時間当たりの移動量を導出可能な物理量を検出し、
前記指示画像生成手段は、
前記移動態様として、前記コントローラの移動方向及び移動タイミングを指示する指示画像を生成し、
前記検出判定手段は、
前記物理量センサからの信号を取得し、前記コントローラの移動方向及び移動タイミングを検出し、
検出された前記コントローラの移動方向及び移動タイミングの、前記指示画像による指示に対する適合度を判定することを特徴とするプログラム。
【請求項３】
請求項２において、
前記指示画像生成手段は、
前記移動タイミングとして移動開始タイミングを指示するとともに、移動継続時間を指示する指示画像を生成し、
前記検出判定手段は、
前記物理量センサからの信号を取得し、前記コントローラの移動方向、移動開始タイミング、移動継続時間を検出し、
検出された前記コントローラの移動方向、移動開始タイミング及び移動継続時間の、前記指示画像による指示に対する適合度を判定することを特徴とするプログラム。
【請求項４】
請求項１〜３のいずれかにおいて、
前記指示画像は、
所与の軌跡に沿った前記コントローラの移動方向を指示する移動軌跡指示画像部と、
前記軌跡に沿った前記コントローラの移動タイミングを指示するタイミング指示画像部と、
を含み、指示内容の変更に関連付けて更新表示されることを特徴とするプログラム。
【請求項５】
請求項４において、
前記タイミング指示画像部は、
前記移動軌跡指示画像部に沿って移動開始指示位置から移動継続終了指示位置まで移動することにより、指示された軌跡に沿った前記コントローラの移動開始のタイミング及び移動継続時間を指示することを特徴とするプログラム。
【請求項６】
請求項４、５のいずれかにおいて、
前記移動軌跡指示画像部及び前記指示画像部の少なくとも一方は、
前記移動開始タイミングに先立って表示される予告態様表示から、前記移動開始タイミングに近づくにつれ本表示態様表示に遷移する遷移画像として表示されることを特徴とするプログラム。
【請求項７】
請求項４〜６のいずれかにおいて、
前記指示画像は、
複数の前記移動軌跡指示画像部を組み合わせて、連続した移動軌跡を指示する一組の移動軌跡指示画像部として表示され、
前記タイミング指示画像部が、連続して組み合わされた前記複数の移動軌跡指示画像部に沿って移動し、各移動軌跡指示画像部で指示された移動の軌跡に沿った前記コントローラの移動タイミングを指示することを特徴とするプログラム。
【請求項８】
請求項３、請求項３に従属する請求項４、請求項３に従属する請求項４に従属する請求項５〜７のいずれかにおいて、
前記検出判定手段は、
前記物理量センサからの信号を取得し、前記コントローラの単位時間当たりの移動量が所与の値を上回るタイミング及び継続時間を、前記コントローラの移動開始タイミング、移動継続時間として検出し、
検出された前記コントローラの移動方向が前記指示画像により指示された移動方向と適合すると判定された場合に、検出された前記コントローラの移動開始タイミング及び移動継続時間の、前記指示画像により指示された移動開始タイミング、移動継続時間に関連付けて設定された判定用の移動開始タイミング及び移動継続時間に対する適合度を判定することを特徴とするプログラム。
【請求項９】
請求項１〜８のいずれかにおいて、
前記検出判定手段は、
前記指示画像で指示される移動方向へ、異なる複数の姿勢にある前記コントローラを移動する際に前記物理量センサから出力される信号に関連付けて、前記コントローラの移動姿勢を判定するための第１の類型判定用データベースに基づき、前記コントローラを移動する際に前記物理量センサから出力される信号と前記第１の類型判定用データベースとを照合し、移動する前記コントローラの姿勢を判定する第１の処理と、
第１の類型判定用データベースに基づき判定される前記コントローラの移動姿勢に関連付けて、前記指示画像で指示される移動方向へ前記コントローラを移動する際に前記物理量センサから出力される信号から、前記コントローラの少なくとも移動方向を含む移動態様を判定するための第２の類型判定用データベースに基づき、前記指示画像で指示される移動方向へ前記第１の処理で判定された姿勢で前記コントローラを移動する際に、前記物理量センサから出力される信号と前記第２の類型判定用データベースとを照合し、移動する前記コントローラの少なくとも移動方向を含む移動態様を特定し、特定された移動態様と指示された移動態様との適合度を判定する第２の処理と、
を行うことを特徴とするプログラム。
【請求項１０】
請求項１〜９のいずれかにおいて、
前記指示画像生成手段は、
物理量センサを内蔵した少なくとも２個のコントローラに対し個別に所与の移動態様を指示する指示画像を生成することを特徴とするプログラム。
【請求項１１】
請求項１〜１０のいずれかにおいて、
プレーヤに前記コントローラの移動を伴うダンスアクションを指示し、前記コントローラの入力に基づき、指示したダンスアクションに関連付けたダンスを行うキャラクタを含むゲーム画面を生成するとともに、ダンスのＢＧＭ信号を生成するゲーム演算手段を含み、
前記指示画像生成手段は、
前記ゲーム画像内に前記コントローラの所与の移動態様を指示する指示画像を生成することを特徴とするプログラム。
【請求項１２】
請求項１１において、
前記ゲーム演算手段は、
前記検出判定手段の適合度判定結果に関連付けたゲーム演出を行う手段を含むことを特徴とするプログラム。
【請求項１３】
請求項１１、１２のいずれかにおいて、
前記ゲーム演算手段は、
前記検出判定手段の適合度判定結果に基づき、前記コントローラの操作ミスの原因を特定しプレーヤに告知する手段を含むことを特徴とするプログラム。
【請求項１４】
請求項１１〜１３のいずれかにおいて、
前記ゲーム演算手段は、
前記検出判定手段により検出された前記コントローラの移動経路を、所与の条件に基づきゲーム画面内にトレース表示する手段を含むことを特徴とするプログラム。
【請求項１５】
請求項１１〜１４のいずれかにおいて、
前記ゲーム画面に関連付けた位置に設置又は表示された基準位置の認識体を撮像する前記コントローラに内蔵された撮像手段からの撮像信号を取得し、前記コントローラによる前記ゲーム画面上の指示位置を検出する手段を含み、
前記ゲーム演算手段は、
ゲーム進行中に所与のタイミングで前記ゲーム画面の所定位置のポインティングを指示する位置指示画像を表示する手段を含み、
前記タイミングで前記所定位置のポインティングが検出された場合には、前記所定位置のポインティングに関連付けたイベントを発生させることを特徴とするプログラム。
【請求項１６】
請求項１５において、
前記指示画像生成手段は、
前記所定位置の指示に関連付けたイベントとして、指示されたゲーム画面の前記所定位置に関連付けて、前記コントローラの所与の移動態様を指示する指示画像を生成することを特徴とするプログラム。
【請求項１７】
請求項１〜１６のいずれかのプログラムを記憶したコンピュータ読み取り可能な情報記憶媒体。
【請求項１８】
物理量センサを内蔵したコントローラの所与の移動態様を指示する指示画像を生成する指示画像生成手段と、
前記コントローラの物理量センサからの信号を取得し、前記コントローラの移動態様を検出し、検出された前記コントローラの移動態様の、前記指示画像で指示された移動態様に対する適合度を判定する検出判定手段と、
を含むことを特徴とするゲームシステム。
【手続補正２】
【補正対象書類名】明細書
【補正対象項目名】０００７
【補正方法】変更
【補正の内容】
【０００７】
（１）本発明は、
物理量センサを内蔵したコントローラの所与の移動態様を指示する指示画像を生成する指示画像生成手段と、
前記コントローラの物理量センサからの信号を取得し、前記コントローラの移動態様を検出し、検出された前記コントローラの移動態様の、前記指示画像で指示された移動態様に対する適合度を判定する検出判定手段と、
を含むことを特徴とする。
【手続補正３】
【補正対象書類名】明細書
【補正対象項目名】００１８
【補正方法】変更
【補正の内容】
【００１８】
（２）また、本発明において、
前記物理量センサは、移動方向及び単位時間当たりの移動量を導出可能な物理量を検出し、
前記指示画像生成手段は、
前記移動態様として、前記コントローラの移動方向及び移動タイミングを指示する指示画像を生成し、
前記検出判定手段は、
前記物理量センサからの信号を取得し、前記コントローラの移動方向及び移動タイミングを検出し、
検出された前記コントローラの移動方向及び移動タイミングの、前記指示画像による指示に対する適合度を判定ように構成してもよい。
【手続補正４】
【補正対象書類名】明細書
【補正対象項目名】００６１
【補正方法】変更
【補正の内容】
【００６１】
（１０）また、本発明において、
前記指示画像生成手段は、
物理量センサを内蔵した少なくとも２個のコントローラに対し個別に所与の移動態様を指示する指示画像を生成するように構成してもよい。
【手続補正５】
【補正対象書類名】明細書
【補正対象項目名】００６６
【補正方法】変更
【補正の内容】
【００６６】
（１１）また、本発明において、
プレーヤに前記コントローラの移動を伴うダンスアクションを指示し、前記コントローラの入力に基づき、指示したダンスアクションに関連付けたダンスを行うキャラクタを含むゲーム画面を生成するとともに、ダンスのＢＧＭ信号を生成するゲーム演算手段を含み、
前記指示画像生成手段は、
前記ゲーム画像内に前記コントローラの所与の移動態様を指示する指示画像を生成するように構成してもよい。
【手続補正６】
【補正対象書類名】明細書
【補正対象項目名】００７２
【補正方法】変更
【補正の内容】
【００７２】
（１３）また、本発明において、
前記ゲーム演算手段は、
前記検出判定手段の適合度判定結果に基づき、前記コントローラの操作ミスの原因を特定しプレーヤに告知する手段を含むように構成してもよい。
【手続補正７】
【補正対象書類名】明細書
【補正対象項目名】００７５
【補正方法】変更
【補正の内容】
【００７５】
（１４）また、本発明において、
前記ゲーム演算手段は、
前記検出判定手段により検出された前記コントローラの移動経路を、所与の条件に基づきゲーム画面内にトレース表示する手段を含むように構成してもよい。
【手続補正８】
【補正対象書類名】明細書
【補正対象項目名】００７７
【補正方法】変更
【補正の内容】
【００７７】
（１５）また、本発明において、
前記ゲーム画面に関連付けた位置に設置又は表示された基準位置の認識体を撮像する前記コントローラに内蔵された撮像手段からの撮像信号を取得し、前記コントローラによる前記ゲーム画面上の指示位置を検出する手段を含み、
前記ゲーム演算手段は、
ゲーム進行中に所与のタイミングで前記ゲーム画面の所定位置のポインティングを指示する位置指示画像を表示する手段を含み、
前記タイミングで前記所定位置のポインティングが検出された場合には、前記所定位置のポインティングに関連付けたイベントを発生させるように構成してもよい。
【手続補正９】
【補正対象書類名】明細書
【補正対象項目名】００８２
【補正方法】変更
【補正の内容】
【００８２】
（１６）また、本発明において、
前記指示画像生成手段は、
前記所定位置の指示に関連付けたイベントとして、指示されたゲーム画面の前記所定位置に関連付けて、前記コントローラの所与の移動態様を指示する指示画像を生成するように構成してもよい。